【手続補正書】
【提出日】平成26年3月26日(2014.3.26)
【手続補正１】
【補正対象書類名】特許請求の範囲
【補正対象項目名】全文
【補正方法】変更
【補正の内容】
【特許請求の範囲】
【請求項１】
携帯型粘度計であって、
分配ポンプ機構と、
矩形の液体流路、及び前記流路を通じて流れる十分に発達した液体流の圧力低下を測定する、前記流路に沿って位置付けられた少なくとも２つの圧力センサを有する、粘度センサと、
粘度の測定が所望されるサンプル液を収容するよう適合された液体容積移送式ピペットであって、前記分配ポンプ機構の動作が、前記容積移送式ピペットと協働して、既知の流量で前記サンプル液を前記容積移送式ピペットから分配するように前記分配ポンプ機構及び前記容積移送式ピペットが協働して連結され、前記サンプル液が、前記容積移送式ピペットから前記サンプル液が分配される際に前記粘度センサ内へと圧入されるように前記容積移送式ピペットが前記粘度センサに連結される、容積移送式ピペットと、
前記粘度計の動作を制御し、センサデータを処理するコントローラとを備える、携帯型粘度計。
【請求項２】
試験結果を示すディスプレイを更に含む、請求項１に記載の携帯型粘度計。
【請求項３】
前記コントローラがプログラムされたマイクロコントローラを含む、請求項１乃至２のいずれか１項に記載の携帯型粘度計。
【請求項４】
前記コントローラが、試験変数を入力するためのユーザーインターフェースを含む、請求項３に記載の携帯型粘度計。
【請求項５】
前記容積移送式ピペットは、ピペットバレル、及び前記ピペットバレル内に密閉して、かつ摺動自在に位置付けられたピペットプランジャを含み、前記ピペットプランジャは、前記ピペットバレルから延び、それによって前記ピペットプランジャが前記ピペットバレル内で摺動自在に移動することができるプランジャ端部を含む、請求項１乃至４のいずれか１項に記載の携帯型粘度計。
【請求項６】
前記ピペットプランジャは、前記ピペットバレルに対して２つの反対の方向において摺動自在に可動であり、充填方向における移動は、前記ピペットバレルへの前記サンプル液の充填をもたらし、分配方向における移動は、前記ピペットバレルからの前記サンプル液の分配をもたらす、請求項５に記載の携帯型粘度計。
【請求項７】
前記容積移送式ピペットと協働する前記分配ポンプ機構の動作が、前記ピペットバレルに対して前記分配方向において既知の速度で前記ピペットプランジャを移動させ、前記ピペットバレル内の前記サンプル液を前記ピペットバレルから既知の流量で分配する、請求項６に記載の携帯型粘度計。
【請求項８】
前記分配ポンプがモーターと、前記モーターの動作が主ネジの回転を生じるように前記モーターに連結された前記主ネジと、前記主ネジの回転がプッシュバックの線形移動を生じるように前記主ネジに連結された前記プッシュバックとを含み、前記プッシュバックは前記プランジャ端部に連結されることによって、前記プッシュバックの線形移動が前記ピペットプランジャを前記分配方向において移動させる、請求項７に記載の携帯型粘度計。
【請求項９】
前記コントローラが前記モーターの動作を制御する、請求項８に記載の携帯型粘度計。
【請求項１０】
前記容積移送式ピペットを前記粘度計内に取り外し可能に取り付けるための取り付け機構を更に含む、請求項１乃至９のいずれか１項に記載の携帯型粘度計。
【請求項１１】
前記粘度センサが、
３つの側壁、流路入口、及び流路出口を有して、内部に形成された少なくとも１つの流路を備える流路基材と、
実質的に平滑な検出面、及び内部の異なる位置において少なくとも２つの別個の圧力センサを有するモノリシックセンサプレートとを備え、
前記センサプレートの少なくとも一部分の実質的に平滑な検出面が、前記少なくとも１つの流路の第４側壁となり、前記少なくとも１つの流路を通じて前記液体が流れる際に液体の完全な収容を可能にするように、前記流路基材及び前記モノリシックセンサプレートが組み合わされ、前記液体が前記流路を流れる際に、前記少なくとも１つの流路内の前記液体の十分に発達した流れの圧力低下が測定されるように、前記モノリシックセンサプレートの前記少なくとも２つの別個の圧力センサの少なくとも２つが、前記流路入口及び前記流路出口から十分に離れて前記少なくとも１つの流路に沿って位置付けられる、請求項１乃至１０のいずれか１項に記載の携帯型粘度計。
【請求項１２】
前記圧力センサのプレートが半導体材料で作製される、請求項１１に記載の携帯型粘度計。
【請求項１３】
前記流路が、深さを有し、その深さが１マイクロメートルより大きく１ｍｍ未満である、請求項１１乃至１２のいずれか１項に記載の携帯型粘度計。
【請求項１４】
前記粘度計が、複数の液体に関する既知の粘度値のデータベースを保存する、請求項１乃至１３のいずれか１項に記載の携帯型粘度計。
【請求項１５】
前記粘度計が、測定された粘度値の履歴を保存する、請求項１乃至１４のいずれか１項に記載の携帯型粘度計。
【請求項１６】
前記粘度計が電池駆動式である、請求項１乃至１５のいずれか１項に記載の携帯型粘度計。
【請求項１７】
前記コントローラが、前記コントローラと遠隔コンピュータとの間の通信を可能にする通信手段を含む、請求項１乃至１６のいずれか１項に記載の携帯型粘度計。
【請求項１８】
前記粘度の測定が所望されるサンプル液の温度を制御するために、少なくとも１つの温度制御装置を更に含む、請求項１乃至１７のいずれか１項に記載の携帯型粘度計。
【請求項１９】
前記少なくとも１つの温度制御装置は、前記容積移送式ピペット内において前記サンプル液の温度を、前記サンプル液が前記粘度センサ内へと圧入される前に制御する、請求項１８に記載の携帯型粘度計。
【請求項２０】
前記少なくとも１つの温度制御装置は、前記サンプル液の温度を、前記サンプル液が前記粘度センサを通じて流れる際に制御する、請求項１８乃至１９のいずれか１項に記載の携帯型粘度計。
【請求項２１】
携帯型粘度計であって、
分配ポンプ機構と、
矩形の液体流路、及び前記流路を通じて流れる十分に発達した液体流の圧力低下を測定する、前記流路に沿って位置付けられた少なくとも２つの圧力センサを有する、粘度センサと、
粘度の測定が所望されるサンプル液を収容するように適合された容積移送式ピペットを、取り外し可能に取り付けるように適合された取り付け機構であって、前記取り付け機構は、前記分配ポンプ機構と協働するように、前記容積移送式ピペットを適所に取り付けるよう適合され、これによって前記分配ポンプ機構の動作が前記容積移送式ピペットから前記サンプル液を既知の流量で分配し、並びに、前記粘度センサと協働するように適合され、これによって前記サンプル液が、前記容積移送式ピペットから前記サンプル液が分配される際に、前記粘度センサ内に圧入される、取り付け機構と、
前記粘度計の動作を制御し、センサデータを処理するコントローラとを備える、携帯型粘度計。
【請求項２２】
試験結果を示すディスプレイを更に含む、請求項２１に記載の携帯型粘度計。
【請求項２３】
前記粘度の測定が所望されるサンプル液の温度を制御するために、少なくとも１つの温度制御装置を更に含む、請求項２１乃至２２のいずれか１項に記載の携帯型粘度計。
【請求項２４】
前記サンプル液が前記容積移送式ピペットから前記粘度センサ内へと圧入される前に、前記容積移送式ピペットが前記取り付け機構に取り付けられている際に、前記容積移送式ピペット内の前記サンプル液の温度を、前記少なくとも１つの温度制御装置が前記取り付け機構と協働して制御する、請求項２３に記載の携帯型粘度計。
【請求項２５】
前記少なくとも１つの温度制御装置は、前記サンプル液の温度を、前記サンプル液が前記粘度センサを通じて流れる際に制御する、請求項２３乃至２４のいずれか１項に記載の携帯型粘度計。
【請求項２６】
前記分配ポンプがモーターと、前記モーターの動作が主ネジの回転を生じるように前記モーターに連結された主ネジと、前記主ネジの前記回転がプッシュバックの線形移動を生じるように前記主ネジに連結されたプッシュバックとを含み、前記プッシュバックは、前記容積移送式ピペットが前記取り付け機構内に取り付けられた際に、前記容積移送式ピペットから延びるプランジャの端部と係合するように適合されることによって、前記プッシュバックの線形移動が、分配方向において既知の速度で前記ピペットプランジャを移動させ、既知の流量で前記サンプル液を前記容積移送式ピペットから前記粘度センサ内へ分配する、請求項２１乃至２５のいずれか１項に記載の携帯型粘度計。
【請求項２７】
粘度の測定が所望されるサンプル液の粘度の測定値を得るための方法であって、
分配ポンプ機構と、
矩形の液体流路、及び前記流路を通じて流れる十分に発達した液体流の圧力低下を測定する、前記流路に沿って位置付けられた少なくとも２つの圧力センサを有する、粘度センサと、
前記サンプル液を収容するように適合された容積移送式ピペットを、取り外し可能に取り付けるように適合された取り付け機構であって、前記取り付け機構は、前記分配ポンプ機構と協働するように、前記容積移送式ピペットを適所に取り付けるよう適合され、これによって前記分配ポンプ機構の動作が前記容積移送式ピペットから前記サンプル液を既知の流量で分配し、並びに、前記粘度センサと協働するように適合され、これによって前記サンプル液が、前記容積移送式ピペットから前記サンプル液が分配される際に、前記粘度センサ内に圧入される、取り付け機構と、
前記携帯型粘度計動作を制御し、センサデータを処理するコントローラとを備える、携帯型粘度計を入手する工程と、
前記粘度の測定が所望される前記サンプル液を収容する容積移送式ピペットを入手する工程と、
前記粘度の測定が所望される前記サンプル液を収容する前記容積移送式ピペットを前記取り付け機構内に配置する工程と、
前記携帯型粘度計を操作して、前記容積移送式ピペット内に収容された前記サンプル液の粘度の測定値を得る工程とを含む、方法。
【請求項２８】
分配ポンプ機構の動作が、前記容積移送式ピペットから粘度の測定が所望されるサンプル液を既定の流量で分配するように、前記分配ポンプ機構と協働して適所に前記容積移送式ピペットを取り外し可能に取り付けるように適合された取り付け機構を含む携帯型粘度計において使用するための容積移送式ピペットであって、
ピペットバレルと、
前記ピペットバレル内に密閉して、かつ摺動自在に位置付けられ、並びに前記ピペットバレルに対して２つの反対の方向において可動であり、充填方向における移動は、前記ピペットバレルへの前記サンプル液の充填をもたらし、分配方向における移動は、前記ピペットバレルからの前記サンプル液の分配をもたらす、ピペットプランジャであって、該ピペットプランジャは、前記ピペットバレルから延びるプランジャ端部を含み、かつ、前記ピペットプランジャが、前記分配ポンプ機構によって前記ピペットバレル内で前記分配方向において摺動自在に移動して、前記粘度の測定が所望されるサンプルの液体を分配することができるように、前記容積移送式ピペットが前記携帯型粘度計の前記取り付け機構内に取り付けられた際に前記分配ポンプ機構と協働可能である、ピペットプランジャとを含む、容積移送式ピペット。